(57)【要約】  本発明は、電力の割り当てのための方法及び装置を開示し、ＵＥに許容される最大送信電力を超えないように異なるＴＴＩ長を有する送信チャネルの送信電力を制御することにより異なるＴＴＩ長を有する送信チャネルの同時送信ができるようになる。当該方法は、サーブフレーム内の第１のＴＴＩ長で送信されるアップリンクチャネルと第２のＴＴＩ長で送信されるアップリンクチャネルの送信電力の合計を決定するステップと、前記合計がＵＥに許容される最大送信電力を超える場合、所定の規則で電力を割り当て、前記合計がＵＥに許容される最大送信電力を超えないようにするステップとを備える。
2019530365.tif 000002
【特許請求の範囲】
【請求項１】
サーブフレーム内の第１のＴＴＩ長で送信されるチャネルと第２のＴＴＩ長で送信されるチャネルの送信電力の合計を決定するステップと、
前記合計がＵＥに許容される最大送信電力を超える場合、所定の規則で電力を割り当て、前記合計がＵＥに許容される最大送信電力を超えないようにするステップとを備えることを特徴とする電力の割り当てのための方法。
【請求項２】
前記第１のＴＴＩ長は、前記第２のＴＴＩ長より大きいことを特徴とする請求項１に記載の電力の割り当てのための方法。
【請求項３】
前記第１のＴＴＩ長は１ｍｓであり、前記第２のＴＴＩ長は１ｍｓより小さい、または、前記第１のＴＴＩ長と前記第２のＴＴＩ長は１ｍｓより小さいことを特徴とする請求項２に記載の電力の割り当てのための方法。
【請求項４】
前記チャネルは、アップリンクチャネルであることを特徴とする請求項１に記載の電力の割り当てのための方法。
【請求項５】
前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルであることを特徴とする請求項４に記載の電力の割り当てのための方法。
【請求項６】
前記所定の規則で電力を割り当てる場合、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てることを特徴とする請求項２に記載の電力の割り当てのための方法。
【請求項７】
前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２ デュアルコネクティビティ場合の電力制御モード（ＰＣＭ）２の電力制御方式を再利用することを特徴とする請求項６に記載の電力の割り当てのための方法。
【請求項８】
前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じである場合、または、前記第１のＴＴＩ長で送信されるチャネルの送信開始時刻と前記第２のＴＴＩ長で送信されるチャネルの送信開始時刻との差が所定の閾値を超えない場合、前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てることを特徴とする請求項６に記載の電力の割り当てのための方法。
【請求項９】
前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てることを特徴とする請求項８に記載の電力の割り当てのための方法。
【請求項１０】
送信電力が下げられるべきチャネルについては、前記チャネル内のすべてのシンボルの送信電力が下げられることを特徴とする請求項６ないし請求項９のいずれか１項に記載の電力の割り当てのための方法。
【請求項１１】
サーブフレーム内の第１のＴＴＩ長で送信されるチャネルと第２のＴＴＩ長で送信されるチャネルの送信電力の合計を決定するように構成される、第１のモジュールと、
前記第１のモジュールにより決定された合計がＵＥに許容される最大送信電力を超える場合、所定の規則で電力を割り当て、前記合計がＵＥに許容される最大送信電力を超えないようにする第２のモジュールとを備えることを特徴とする電力の割り当てのための装置。
【請求項１２】
前記第１のＴＴＩ長は、前記第２のＴＴＩ長より大きいことを特徴とする請求項１１に記載の電力の割り当てのための装置。
【請求項１３】
前記第１のＴＴＩ長は１ｍｓであり、前記第２のＴＴＩ長は１ｍｓより小さい、または、前記第１のＴＴＩ長と前記第２のＴＴＩ長は１ｍｓより小さいことを特徴とする請求項１２に記載の電力の割り当てのための装置。
【請求項１４】
前記チャネルは、アップリンクチャネルであることを特徴とする請求項１１に記載の電力の割り当てのための装置。
【請求項１５】
前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルであることを特徴とする請求項１４に記載の電力の割り当てのための装置。
【請求項１６】
前記第１のモジュールは、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てることを特徴とする請求項１２に記載の電力の割り当てのための装置。
【請求項１７】
前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２ デュアルコネクティビティ場合の電力制御モード（ＰＣＭ）２の電力制御方式を再利用することを特徴とする請求項１６に記載の電力の割り当てのための装置。
【請求項１８】
前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てることを特徴とする請求項１６に記載の電力の割り当てのための装置。
【請求項１９】
前記第１のモジュールは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てることを特徴とする請求項１８に記載の電力の割り当てのための装置。
【請求項２０】
送信電力が下げられるべきチャネルについては、前記チャネル内のすべてのシンボルの送信電力が下げられることを特徴とする請求項１６ないし請求項１９のいずれか１項に記載の電力の割り当てのための装置。
【請求項２１】
プロセッサと、メモリと、送受信機とを備え、前記送受信機は、前記プロセッサの制御下でデータを送受信するように構成され、前記メモリは、プリセットしたプログラムを記憶するように構成され、
前記プロセッサは、前記メモリに記憶されたプログラムを読み出し、
サーブフレーム内の第１のＴＴＩ長で送信されるチャネルと第２のＴＴＩ長で送信されるチャネルの送信電力の合計を決定し、
前記合計がＵＥに許容される最大送信電力を超える場合、所定の規則で電力を割り当て、前記合計がＵＥに許容される最大送信電力を超えないようにすることを特徴とする電力の割り当てのための装置。
【請求項２２】
前記第１のＴＴＩ長は、前記第２のＴＴＩ長より大きいことを特徴とする請求項２１に記載の電力の割り当てのための装置。
【請求項２３】
前記第１のＴＴＩ長は１ｍｓであり、前記第２のＴＴＩ長は１ｍｓより小さい、または、前記第１のＴＴＩ長と前記第２のＴＴＩ長は１ｍｓより小さいことを特徴とする請求項２２に記載の電力の割り当てのための装置。
【請求項２４】
前記チャネルは、アップリンクチャネルであることを特徴とする請求項２１に記載の電力の割り当てのための装置。
【請求項２５】
前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルであることを特徴とする請求項２４に記載の電力の割り当てのための装置。
【請求項２６】
前記プロセッサは、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てることを特徴とする請求項２２に記載の電力の割り当てのための装置。
【請求項２７】
前記プロセッサは、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２ デュアルコネクティビティ場合の電力制御モード（ＰＣＭ）２の電力制御方式を再利用することを特徴とする請求項２６に記載の電力の割り当てのための装置。
【請求項２８】
前記プロセッサは、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てることを特徴とする請求項２６に記載の電力の割り当てのための装置。
【請求項２９】
前記プロセッサは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てることを特徴とする請求項２８に記載の電力の割り当てのための装置。
【請求項３０】
送信電力が下げられるべきチャネルについては、前記チャネル内のすべてのシンボルの送信電力が下げられることを特徴とする請求項２６ないし請求項２９のいずれか１項に記載の電力の割り当てのための装置。
【発明の詳細な説明】
【技術分野】
【０００１】
関連出願の相互参照
本出願は、２０１６年９月２９日に中国特許局に提出し、出願番号が２０１６１０８６６５２７.１であり、発明名称が「電力の割り当てのための方法及び装置」、及び２０１７年３月２４日に中国特許局に提出し、出願番号が２０１７１０１８６４１６.０であり、発明名称が「電力の割り当てのための方法及び装置」との中国特許出願を基礎とする優先権を主張し、その開示の総てをここに取り込む。
【０００２】
本発明は無線通信技術分野に関し、特に電力の割り当てのための方法及び装置に関する。
【背景技術】
【０００３】
移動体通信サービスに対する需要が高まっているので、それぞれの組織は将来の移動体通信システムに要求されるより高いユーザプレーン遅延性能を定義した。ユーザプレーン遅延は一般に、短いＴＴＩ送信をサポートするために送信時間間隔（Ｔｒａｎｓｍｉｓｓｉｏｎ Ｔｉｍｅ Ｉｎｔｅｒｖａｌ，ＴＴＩ）の長さを短くすることによって短縮される。
【０００４】
図１は、既存の長いタームエボリューション（Ｌｏｎｇ Ｔｅｒｍ Ｅｖｏｌｕｔｉｏｎ，ＬＴＥ）周波数分割複信（ｆｒｅｑｕｅｎｃｙ Ｄｉｖｉｓｉｏｎ Ｄｕｐｌｅｘ，ＦＤＤ）システムのためのフレーム構造タイプ１（Ｆｒａｍｅ ｓｔｒｕｃｔｕｒｅ ｔｙｐｅ １，ＦＳ１）を示す。ＦＤＤシステムでは、アップリンク送信とダウンリンク送信には異なる搬送周波数が用いられ、アップリンク送信とダウンリンク送信には同じフレーム構造がある。各搬送波上で、長さ１０ｍｓの無線フレームは１０個の１ｍｓサブフレームを含み、各サブフレームはさらに長さ０．５ｍｓの２つのタイムスロットを含む。アップリンクおよびダウンリンクのデータ送信のための送信時間間隔（Ｔｒａｎｓｍｉｓｓｉｏｎ Ｔｉｍｅ Ｉｎｔｅｒｖａｌ，ＴＴＩ）の長さは１ｍｓである。
【０００５】
既存の長いタームエボリューション（Ｌｏｎｇ Ｔｅｒｍ Ｅｖｏｌｕｔｉｏｎ， ＬＴＥ）システムは、時分割複信（Ｔｉｍｅ Ｄｉｖｉｓｉｏｎ Ｄｕｐｌｅｘ，ＴＤＤ）に対して、図２に示すようにフレーム構造２（Ｆｒａｍｅ ｓｔｒｕｃｔｕｒｅ ｔｙｐｅ ２， ＦＳ２）を定義した。アップリンク及びダウンリンク伝送に同じ周波数上の異なるサブフレームまたは異なるスロットを利用する。各１０ｍｓ無線フレームは２つの５ｍｓハフフレームを含み、各ハフフレームは１ｍｓの長さを有する５つのサブフレームを含む。ＦＳ２内のサブフレームは、ダウンリンクサブフレーム、アップリンクサブフレーム、及び特殊サブフレームに分類され、各特殊サブフレームは、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間（Ｇｕａｒｄ Ｐｅｒｉｏｄ，ＧＰ）、及びサブパイロットフレームを含む。アップリンクパイロットタイムスロット（Ｕｐｌｉｎｋ Ｐｉｌｏｔ Ｔｉｍｅ Ｓｌｏｔ，ＵｐＰＴＳ）により構成される。各ハーフフレームは、少なくとも１つのダウンリンクサブフレーム、少なくとも１つのアップリンクサブフレーム、及び最大で１つの特殊サブフレームを含む。
【０００６】
短ＴＴＩ送信は典型的な動作モードであり、即ち、短物理アップリンク共有チャネル（ｓｈｏｒｔｅｎｅｄ Ｐｈｙｓｉｃａｌ Ｕｐｌｉｎｋ Ｓｈａｒｅｄ Ｃｈａｎｎｅｌ，ｓＰＵＳＣＨ）および短物理アップリンク制御チャネル（ｓｈｏｒｔｅｎｅｄ Ｐｈｙｓｉｃａｌ Ｕｐｌｉｎｋ Ｓｈａｒｅｄ Ｃｈａｎｎｅｌ，ｓＰＵＣＣＨ）がアップリンクによってサポートされるｓＰＵＣＣＨは少なくとも短ＴＴＩでのダウンリンク伝送に対する肯定応答／否定応答（ＡＣＫ／ＮＡＣＫ）フィードバック情報を搬送することができる。短ＴＴＩの長さは、２、３、４、または７個の直交周波数分割多重（ＯＦＤＭ）またはシングルキャリア周波数分割多元接続（ＳＣ − ＦＤＭＡ）シンボルとすることができるが、代替として１４個以下のシンボルとすることもできる。または1ｍｓ以下の長さの時間とすることもできる。
【０００７】
要約すると、短ＴＴＩ送信とレガシーＴＴＩ（１ｍｓＴＴＩ）での送信とを従来技術で同時に実行することはできず、送信電力が制限されているときの電力制御に対する明確な解決策が存在しないため、例えば、ｓＰＵＣＣＨおよびＰＵＳＣＨ ／ ＰＵＣＣＨ（１ｍｓのＴＴＩでの送信）は、同じサブフレーム内で同時に送信することはできず、また、ｓＰＵＳＣＨおよびＰＵＣＣＨ／ＰＵＳＣＨは、同じサブフレーム内で同時に送信することはできない。
【発明の概要】
【発明が解決しようとする課題】
【０００８】
本発明に係る実施例は、電力の割り当てのための方法及び装置を提供し、ＵＥに許容される最大送信電力を超えないように異なるＴＴＩ長を有する送信チャネルの送信電力を制御することにより、異なるＴＴＩ長を有する送信チャネルの同時送信が可能となり、ネットワークの性能が向上する。
【課題を解決するための手段】
【０００９】
本発明の実施例に係る電力の割り当てのための方法は、
サーブフレーム内の第１のＴＴＩ長で送信されるチャネルと第２のＴＴＩ長で送信されるチャネルの送信電力の合計を決定するステップと、
前記合計がＵＥに許容される最大送信電力を超える場合、所定の規則で電力を割り当て、前記合計がＵＥに許容される最大送信電力を超えないようにするステップとを備える。
【００１０】
当該方法によれば、サーブフレーム内の第１のＴＴＩ長で送信されるチャネルと第２のＴＴＩ長で送信されるチャネルの送信電力の合計を決定し、前記合計がＵＥに許容される最大送信電力を超える場合、所定の規則で電力を割り当て、前記合計がＵＥに許容される最大送信電力を超えないようにする。このようにして、異なるＴＴＩ長を有する送信チャネルは同時に送信することができ、異なるＴＴＩ長を有する送信チャネルの総送信電力は、ＵＥに許容される最大送信電力を超えず、したがってネットワークの性能が向上する。
【００１１】
好ましくは、前記第１のＴＴＩ長は、前記第２のＴＴＩ長より大きい。
【００１２】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【００１３】
好ましくは、前記チャネルは、アップリンクチャネルである。
【００１４】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【００１５】
好ましくは、前記所定の規則で電力を割り当てる場合、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【００１６】
好ましくは、前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２  デュアルコネクティビティ場合のＰＣＭ２電力制御方式を再利用する。
【００１７】
好ましくは、前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはＵＣＩタイプ、及び前記第２のＴＴＩ長で送信されるチャネルのタイプ及び/またはＵＣＩタイプに従って、前記第１のＴＴＩ長で送信されるチャネルと前記第２のＴＴＩ長で送信されるチャネルそれぞれに送信電力を割り当てる。
【００１８】
好ましくは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【００１９】
好ましくは、送信電力が下げられるべきチャネルについては、前記チャネル内のすべてのシンボルの送信電力が下げられる。
【００２０】
本発明の実施例に係る電力の割り当てのための装置は、
サーブフレーム内の第１のＴＴＩ長で送信されるチャネルと第２のＴＴＩ長で送信されるチャネルの送信電力の合計を決定するように構成される、第１のモジュールと、
前記第１のモジュールにより決定された合計がＵＥに許容される最大送信電力を超える場合、所定の規則で電力を割り当て、前記合計がＵＥに許容される最大送信電力を超えないようにする第２のモジュールとを備える。
【００２１】
好ましくは、前記第１のＴＴＩ長は、前記第２のＴＴＩ長より大きい。
【００２２】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【００２３】
好ましくは、前記チャネルは、アップリンクチャネルである。
【００２４】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【００２５】
好ましくは、前記第１のモジュールは、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【００２６】
好ましくは、前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２  デュアルコネクティビティ場合のＰＣＭ２電力制御方式を再利用する。
【００２７】
好ましくは、前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる。
【００２８】
好ましくは、前記第１のモジュール前記第１のＴＴＩ長で送信されるチャネルのタイプ及び/またはＵＣＩタイプ、及び前記第２のＴＴＩ長で送信されるチャネルのタイプ及び/またはＵＣＩタイプに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【００２９】
好ましくは、送信電力が下げられるべきチャネルについては、前記チャネル内のすべてのシンボルの送信電力が下げられる。
【００３０】
本発明に係る電力の割り当てのための装置は、プロセッサと、メモリと、送受信機とを備え、前記送受信機は、前記プロセッサの制御下でデータを送受信するように構成され前記メモリは、プリセットしたプログラムを記憶するように構成され、前記プロセッサは、前記メモリに記憶されたプログラムを読み出し、サーブフレーム内の第１のＴＴＩ長で送信されるチャネルと第２のＴＴＩ長で送信されるチャネルの送信電力の合計を決定し、前記合計がＵＥに許容される最大送信電力を超える場合、所定の規則で電力を割り当て、前記合計がＵＥに許容される最大送信電力を超えないようにする。
【００３１】
好ましくは、前記第１のＴＴＩ長は、前記第２のＴＴＩ長より大きい。
【００３２】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【００３３】
好ましくは、前記チャネルは、アップリンクチャネルである。
【００３４】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【００３５】
好ましくは、前記プロセッサは、
前記第１のＴＴＩ長で送信されるチャネルに優先的に送信電力を割り当て、前記第２のＴＴＩ長で送信されるチャネルの送信電力を下げ、または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【００３６】
好ましくは、前記プロセッサは、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２  デュアルコネクティビティ場合のＰＣＭ２電力制御方式を再利用する。
【００３７】
好ましくは、前記プロセッサは、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てる。
【００３８】
好ましくは、前記プロセッサは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【００３９】
好ましくは、送信電力が下げられるべきチャネルについては、前記チャネル内のすべてのシンボルの送信電力が下げられる。
【発明の効果】
【００４０】
本発明の実施例に係る電力の割り当てのための方法及び装置によれば、サーブフレーム内の第１のＴＴＩ長で送信されるチャネルと第２のＴＴＩ長で送信されるチャネルの送信電力の合計を決定し、前記合計がＵＥに許容される最大送信電力を超える場合、所定の規則で電力を割り当て、前記合計がＵＥに許容される最大送信電力を超えないようにする。このようにして、異なるＴＴＩ長を有する送信チャネルは同時に送信することができ、異なるＴＴＩ長を有する送信チャネルの総送信電力は、ＵＥに許容される最大送信電力を超えず、したがってネットワークの性能が向上する。
【図面の簡単な説明】
【００４１】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】従来技術のタイプ１のフレーム構造（Ｆｒａｍｅ ｓｔｒｕｃｔｕｒｅ ｔｙｐｅ １）の概略図である。
【図２】従来技術のタイプ２のフレーム構造（Ｆｒａｍｅ ｓｔｒｕｃｔｕｒｅ ｔｙｐｅ ２ (５ｍｓの切替点周期）)）の概略図である。
【図３】本発明の実施例に係る電力の割り当てのための方法のフローチャートである。
【図４】本発明の実施例に係る異なるＴＴＩ長を有する送信チャネルの重複送信リソースの第１の例の概略図である。
【図５】本発明の実施例に係る異なるＴＴＩ長を有する送信チャネルの重複送信リソースの第２の例の概略図である。
【図６】本発明の実施例に係る異なるＴＴＩ長を有する送信チャネルの重複送信リソースの第３の例の概略図である。
【図７】本発明の実施例に係る異なるＴＴＩ長を有する送信チャネルの重複送信リソースの第４の例の概略図である。
【図８】本発明の実施例に係る電力の割り当てのための装置の構成図である。
【図９】本発明の実施例に係る他の電力の割り当てのための装置の構成図である。
【発明を実施するための形態】
【００４２】
本発明の実施例のに係る電力の割り当てのための方法及び装置によれば、ＵＥに許容される最大送信電力を超えないように異なるＴＴＩ長を有する送信チャネルの送信電力を制御することにより、異なるＴＴＩ長を有する送信チャネルの同時送信が可能となり、ネットワークの性能が向上する。
【００４３】
短ＴＴＩ送信では、ｓＰＵＣＣＨとｓＰＵＳＣＨのＴＴＩ長が同じであるが、短ＴＴＩ送信と、レガシーＴＴＩ（１ｍｓ ＴＴＩ）送信が同時に存在する可能性があり、例えば、ｓＰＵＣＣＨとＰＵＳＣＨ／ＰＵＣＣＨ（１ｍｓ ＴＴＩ送信）が同じサーブフレームで同時に送信され、また、ｓＰＵＳＣＨとＰＵＣＣＨ／ＰＵＳＣＨが同じサーブフレームで同時に送信される。このとき、電力が制限されている場合は、電力制御が行われ、電力割り当て優先順位または原則が定義される必要がある。こうして、短ＴＴＩと長いＴＴＩの同時送信する場合の合計電力がＵＥに許容される最大送信電力を超えないことが確保できる。
【００４４】
図３に示す本発明の実施例に係る電力の割り当てのための方法は、以下のステップを備える。
【００４５】
Ｓ１０１において、１つのサーブフレーム内で第１のＴＴＩ長で送信されるチャネルと第２のＴＴＩ長で送信されるチャネルの送信電力の合計を決定する。
【００４６】
前記第１のＴＴＩ長で送信されるチャネルに占有される送信リソースと、前記第２のＴＴＩ長で送信されるチャネルに占有される送信リソースとは、同じサーブフレーム内で一部重複している。
【００４７】
Ｓ１０２において、前記合計がＵＥに許容される最大送信電力を超える場合、所定の規則で電力を割り当て、前記合計がＵＥに許容される最大送信電力を超えないようにする。
【００４８】
好ましくは、前記第１のＴＴＩ長は、前記第２のＴＴＩ長より大きい。前記第１のＴＴＩは、例えば、既存の通常のＴＴＩであり、長いＴＴＩと呼ばれることもあり、前記第２のＴＴＩは、短ＴＴＩと呼ばれることもある。
【００４９】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【００５０】
好ましくは、前記チャネルは、アップリンクチャネルである。
【００５１】
同様に、本発明に係る実施例は、ダウンリンクチャネルの送信にも適用できる。
【００５２】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【００５３】
好ましくは、前記所定の規則で電力を割り当てる場合、前記第１のＴＴＩ長で送信されるチャネルに優先的に送信電力を割り当て、前記第２のＴＴＩ長で送信されるチャネルの送信電力を下げる。
【００５４】
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【００５５】
好ましくは、前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ（Ｌｏｎｇ Ｔｅｒｍ Ｅｖｏｌｕｔｉｏｎ） -１２（Ｒｅｌｅａｓｅ−１２，Ｒｅｌ−１２）デュアルコネクティビティ場合の電力制御モード（Ｐｏｗｅｒ Ｃｏｎｔｒｏｌ Ｍｏｄｅ，ＰＣＭ）２の電力制御方式を再利用する。
【００５６】
前記ＰＣＭ２電力制御方式は、非同期シナリオ用に定義されており、例えば、以下の優先順位に従って割り当てることができる。
【００５７】
キャリアグループの間で、電力を割り当てるとき、電力は、より早い送信時間を有するチャネルに対して優先的に割り当てられる。
【００５８】
また、最低保証電力が各キャリアグループに対してさらに定義され、少なくとも最低保証電力が各キャリアグループに対して割り当てられ、残りの電力がさらに上記優先順位に従って割り当てられる。ここで、最低保証電力を定義せずに、ＰＣＭ２電力制御方式における優先順位に従った上記割り当て方式のみを再利用することができ、またはＰＣＭ２電力制御方式全体を再利用することができる。つまり、最低保証電力を定義しながら、残りの電力を上記の優先順位に従って割り当てる。
【００５９】
好ましくは、前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、同じサーブフレーム内で、前記第１のＴＴＩ長で送信されるチャネルの送信開始時刻が前記第２のＴＴＩ長で送信されるチャネルの送信開始時刻と同じである。
【００６０】
または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（Ｕｐｌｉｎｋ Ｃｏｎｔｒｏｌ Ｉｎｆｏｒｍａｔｉｏｎ，ＵＣＩ）タイプ、及び前記第２のＴＴＩ長で送信されるチャネルのタイプ及び/またはＵＣＩタイプに従って、前記第１のＴＴＩ長で送信されるチャネルと前記第２のＴＴＩ長で送信されるチャネルそれぞれに送信電力を割り当てる。
【００６１】
ここで、ＰＣＭ１電力制御方式は、同期シナリオ（すなわち、時間の送信インスタンスが整列されか、または、所定の閾値を超えない）に対して定義され、電力は以下の優先順位に従って割り当てられる。
【００６２】
異なるキャリアグループの間で電力を割り当てれるとき、電力は、ＳＲを搬送するＰＵＣＣＨ = ＡＣＫ／ＮＡＣＫを搬送するＰＵＣＣＨ及び/またはＰＵＳＣＨ > Ｐ−ＣＳＩ搬送するＰＵＣＣＨ、及び/またはＰＵＳＣＨ >ＵＣＩを搬送しないＰＵＳＣＨ>ＳＲＳという優先順位で割り当てられる。同一チャネルが複数種類のＵＣＩを搬送する場合、そのチャネルの優先順位は最も高い優先順位のＵＣＩに従って定義される。同じ種類のＵＣＩを搬送するチャネルの場合、電力は、キャリアグループの優先順位に従って割り当てられ、ＰＣＣを含むキャリアグループの優先順位が高い。
【００６３】
また、最低保証電力が各キャリアグループに対してさらに定義され、少なくとも最低保証電力が各キャリアグループに対して割り当てられ、残りの電力がさらに上記優先順位に従って割り当てられる。ここで、ＰＣＭ１電力制御方式における優先順位に従った上記割り当て方式のみを再利用することができ、また、最低保証電力を定義せずに、上記ＬＴＥ Ｒｅｌ−１２ デュアルコネクティビティ場合のＰＣＭ１電力制御方式全体を再利用することができる。つまり、最低保証電力を定義しながら、残りの電力を上記の優先順位に従って割り当てる。
【００６４】
ＴＴＩ長の優先順位と共に、ＬＴＥ Ｒｅｌ − １２におけるデュアルコネクティビティを有するＰＣＭ１電力制御方式による電力割り当てのために、例えば、ＰＣＭ１内の異なるキャリアグループの間で電力が割り当てられる場合、同じ種類のＵＣＩを搬送するチャネルに対し、電力は、キャリアグループの優先順位の代わりにＴＴＩ長の優先順位に従って割り当てられる。即ち、送信電力は、前記第２のＴＴＩ長で送信されるチャネルまたはキャリアグループに優先的に割り当てられる。
【００６５】
もちろん、ＴＴＩ長の優先順位の代わりに上記のＰＣＭ１内の他の優先順位に従って電力を代替的に割り当てることができ、例えば、電力が異なるキャリアグループの間で割り当てられるとき、最初に電力がキャリアグループの間で優先的に割り当てられる。 すなわち、最初に電力が第２のＴＴＩ長を有するキャリア／キャリアグループに優先的に割り当てられ、次に電力がＰＵＣＣＨ＞ＵＣＩを搬送するＰＵＳＣＨ＞ＵＣＩを搬送しないＰＵＳＣＨ＞ ＳＲＳの優先順位に従って割り当てられる。
【００６６】
さらに、上記のＰＣＭ１およびＰＣＭ２の場合、同じキャリアグループ内では、典型的なＣＡシナリオにおける電力割り当て原則に従って電力が割り当てられる。例えば、ＰＵＣＣＨ>ＵＣＩを搬送するＰＵＳＣＨ>ＵＣＩを搬送しあにＰＵＳＣＨ>ＳＲSの優先順位で電力を割り当てる。同じキャリアグループ内で異なるＴＴＩ長を有するアップリンクチャネルの同時送信もあれば、それらのうちの１つがドロップ（ｄｒｏｐ）されるか、またはより長いＴＴＩを有するチャネルの重複部分がパンクチャリング（ｐｕｎｃｔｕｒｅ）され、それによって重複電力が回避される。
【００６７】
好ましくは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合（この際、前記第１のＴＴＩ長で送信されるチャネルに搬送されるＵＣＩタイプが前記第２のＴＴＩ長で送信されるチャネルに搬送されるＵＣＩタイプと同じかどうかと関係せず）、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げる。
【００６８】
または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【００６９】
または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げる。
【００７０】
または、
前記第１のＴＴＩ長で送信されるチャネルのタイプが前記第２のＴＴＩ長で送信されるチャネルのタイプと同じである場合（この際、前記第１のＴＴＩ長で送信されるチャネルに搬送されるＵＣＩタイプが前記第２のＴＴＩ長で送信されるチャネルに搬送されるＵＣＩタイプと同じかどうかと関係せず）、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当てる。
【００７１】
または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【００７２】
好ましくは、送信電力が下げられるべきチャネルについては、前記チャネル内のすべてのシンボルの送信電力が下げられる。
【００７３】
例えば、アップリンク方向のユーザ機器（Ｕｓｅｒ Ｅｑｕｉｐｍｅｎｔ，ＵＥ）側（同じことがネットワーク側にも当てはまる）において、任意のサブフレームについて、当該サーブフレーム内の重複送信部分において、第１のＴＴＩ長で送信されるアップリンクチャネルと第２のＴＴＩ長で送信されるアップリンクチャネルの送信電力の合計ががＵＥに許容される最大送信電力を超えるかどうかを判定する。前記重複送信部分は、第１のＴＴＩ長で送信されるアップリンクチャネルと第２のＴＴＩ長で送信されるアップリンクチャネルの両方に用いられる送信リソースである。
【００７４】
前記第１のＴＴＩ長は、前記第２のＴＴＩ長より大きい。
【００７５】
前記第１のＴＴＩ長は１ｍｓであり、前記第２のＴＴＩ長は１ｍｓ以下の短いＴＴＩ、例えば、２、３、４、７個などのシンボルである。
【００７６】
前記アップリンクチャネルは、アップリンク制御チャネル及びアップリンク共有チャネルのうちの少なくとも１つである。
【００７７】
本発明の実施形態による技術的解決策は、ダウンリンクチャネルの送信にも適用可能であり得ることに留意されたい。
【００７８】
当該サーブフレーム内の重複送信部分において、第１のＴＴＩ長で送信されるアップリンクチャネルと第２のＴＴＩ長で送信されるアップリンクチャネルの送信電力の合計が、ＵＥに許容される最大送信電力を超えると決定された場合、重複送信部分の総送信電力がＵＥに許容される最大送信電力を超えないように、所定の規則または優先順位に従って、送信電力を割り当てる。
【００７９】
例えば、前記所定の規則または優先順位は以下の通りである。
【００８０】
第１の方式では、第１のＴＴＩ長で送信されるアップリンクチャネルに対して常に電力が優先的に割り当てられる、すなわち、第１のＴＴＩ長で送信されるアップリンクチャネルの送信電力は維持され、第２のＴＴＩ長で送信されるアップリンクチャネルの送信電力が下げられる。
【００８１】
第２の方式では、前記第１のＴＴＩ長で送信されるアップリンクチャネルと前記第２のＴＴＩ長で送信されるアップリンクチャネルの送信開始時刻が異なる場合、より早い送信開始時刻のアップリンクチャネルに優先的に電力が割り当てられる（例えば、第１のＴＴＩ長で送信されるアップリンクチャネル）。すなわち、より早い送信開始時刻のアップリンクチャネルの送信電力が維持され、送信開始時刻がより遅いアップリンクチャネルの送信電力が下げられる。
【００８２】
前記第１のＴＴＩ長で送信されるアップリンクチャネルと前記第２のＴＴＩ長で送信されるアップリンクチャネルの送信開始時刻が同じである場合：
方法２-１では、第２のＴＴＩ長で送信されるアップリンクチャネルに対して優先的に電力が割り当てられ、すなわち、第２のＴＴＩ長で送信されるアップリンクチャネルの送信電力が維持され、第１のＴＴＩ長で送信されるアップリンクチャネルの送信電力が下げられる。
【００８３】
方法２-２では、アップリンク制御チャネルに対して優先的に電力が割り当てられ、すなわち、アップリンク制御チャネル（第１のＴＴＩで送信されるか第２のＴＴＩで送信されるかにかかわらず）の送信電力が維持され、アップリンク共有チャネル（第１のＴＴＩで送信されるか第２のＴＴＩで送信されるかにかかわらず）の送信電力が下げられる。
【００８４】
方法２-３では、同種のアップリンクチャネルの電力を同じ倍率で下げ、方式２-１または２-２で説明したように異種のアップリンクチャネルの電力を制御する。
【００８５】
アップリンクチャネルの送信電力が低下すると、当該アップリンクチャネルの全てのシンボルの送信電力が低下する。
【００８６】
特定の実施形態：
例えば、第１のＴＴＩ長は１ｍｓ、すなわち１サブフレームであり、第２のＴＴＩ長は２シンボルである。
【００８７】
ＵＥは、第１のＴＴＩ長に対して事前設定されたアップリンク電力制御パラメータと、第１のＴＴＩ長に対して取得された送信電力制御（Ｔｒａｎｓｍｉｓｓｉｏｎ Ｐｏｗｅｒ Ｃｏｎｔｒｏｌ，ＴＰＣ）パラメータとに従って、現在のサーブフレーム内のＰＵＣＣＨ／ＰＵＳＣＨの目標送信電力を決定する。
【００８８】
ＵＥは、第２のＴＴＩ長に対して事前設定されたアップリンク電力制御パラメータ、および第２のＴＴＩ長に対して取得されたＴＰＣパラメータに従って、現在のサブフレーム内のｓＰＵＣＣＨ ／ ｓＰＵＳＣＨの目標送信電力を決定する。
【００８９】
図４に示すように、現在のサブフレームにおいて、ＰＵＣＣＨとｓＰＵＳＣＨとが互いに重複し、異なる開始時刻がある場合、ＰＵＣＣＨとｓＰＵＳＣＨとの開始時刻異なるため、時間優先原則に従って、ｓＰＵＳＣＨ、ＰＵＳＣＣＨの送信電力は維持され、ｓＰＵＳＣＨの送信電力は、重複部分内の総電力がＵＥに許容される最大送信電力を超えないまで下げられる。
【００９０】
または、図５に示すように、現在のサブフレームにおいて、ＰＵＣＣＨとｓＰＵＳＣＨとが重複し、開始時刻は同じである。この際、ＰＵＣＣＨとｓＰＵＳＣＨの開始時刻は同じであるので、一実装形態では、短いＴＴＩ優先の原則に従って、ｓＰＵＳＣＨの送信電力は維持され、ＰＵＣＣＨの送信電力は、重複部分の総電力がＵＥに許容される最大送信電力を超えなくなるまで下げられる。ＵＥに許容される。別の実装形態では、アップリンク制御チャネル優先原則に従って、ＰＵＣＣＨの送信電力は維持され、ｓＰＵＳＣＨの送信電力は、重複部分の総電力がＵＥに許容される最大送信電力を超えなくなるまで下げられる。
【００９１】
または、図６に示すように、現在のサーブフレームにおいて、ｓＰＵＣＣＨとＰＵＳＣＨとが重複し、同じ開始時刻を有する場合、ｓＰＵＣＣＨとＰＵＳＣＨの開始時刻が同じであるので、一実装形態では、短ＴＴＩ優先原則に従って、ｓＰＵＣＣＨの送信電力は維持され、ＰＵＳＣＨの送信電力は、重複部分の総電力がＵＥに許容される最大送信電力を超えなくなるまで下げられる。別の実装形態では、アップリンク制御チャネル優先原則に従って、ｓＰＵＣＣＨの送信電力は維持され、ＰＵＳＣＨの送信電力は、重複部分の総電力がＵＥに許容される最大送信電力を超えなくなるまで下げられる。
【００９２】
または、図７に示されるように、ｓＰＵＳＣＨ-１及びｓＰＵＳＣＨ-２が現在のサブフレーム内の異なるシンボル位置でそれぞれＰＵＳＣＨと重複し、ｓＰＵＳＣＨ-１とＰＵＳＣＨの開始時刻が同じであり、ｓＰＵＳＣＨ-２とＰＵＳＣＨの開始時刻が異なる。
【００９３】
ｓＰＵＳＣＨ-１及びＰＵＳＣＨの開始時刻が同じであるので、一実装形態では、短ＴＴＩ優先原則に従って、ｓＰＵＳＣＨ-１の送信電力は維持され、ＰＵＳＣＨの送信電力は、重複部分の総電力がＵＥに許容される最大送信電力を超えなくなるまで下げられる。別の実装形態では、ｓＰＵＳＣＨ-１及びＰＵＳＣＨの送信電力は、重複部分の総電力がＵＥに許容される最大送信電力を超えなくなるまで等倍率で下げられる。
【００９４】
ｓＰＵＳＣＨ-２及びＰＵＳＣＨの開始位置が異なるため、時間優先原理に従って、ＰＵＳＣＨの送信電力は維持され（このとき、ＰＵＳＣＨの送信電力は、ｓＰＵＳＣＨと重複部分を電力制御後の送信電力となる）、ｓＰＵＳＣＨ-２の送信電力は、重複部分の総電力がＵＥに許容される最大送信電力を超えなくなるまで下げられる。
【００９５】
上記の実施形態は、単に例として、２つのシンボルの短ＴＴＩでの送信に関するものであるが、同じことが他のシンボル長の短いＴＴＩでの送信にも当てはまることに留意されたい。上記の実施形態において送信において重複するアップリンク制御チャネルは、同じキャリア上に配置されてもよく、またはＵＥのために集約された複数のキャリアの中の異なるキャリア内に配置されてもよい。ｓＰＵＣＣＨ ／ ＰＵＣＣＨ ／ ｓＰＵＳＣＨ ／ ＰＵＳＣＨが互いに直接重複する他の例についても同様であり、ここでの繰り返しの説明は省略する。
【００９６】
上述の方法と対応するように、図８に示す本発明の実施例に係る電力の割り当てのための装置は、
サーブフレーム内の第１のＴＴＩ長で送信されるアップリンクチャネルと第２のＴＴＩ長で送信されるアップリンクチャネルの送信電力の合計を決定するように構成される、第１のモジュール１１と、
現在の記第１のモジュール１１によって合計がＵＥに許容される最大送信電力を超えると判定した場合、所定の規則で電力を割り当て、前記合計がＵＥに許容される最大送信電力を超えないようにする第２のモジュール１２とを備える。
【００９７】
好ましくは、前記第１のＴＴＩ長は、前記第２のＴＴＩ長より大きい。
【００９８】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【００９９】
好ましくは、前記チャネルは、アップリンクチャネルである。
【０１００】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【０１０１】
好ましくは、前記第１のモジュールは、前記第１のＴＴＩ長で送信されるチャネルに優先的に送信電力を割り当て、前記第２のＴＴＩ長で送信されるチャネルの送信電力を下げる。
【０１０２】
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【０１０３】
好ましくは、前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２  デュアルコネクティビティ場合のＰＣＭ２電力制御方式を再利用する。
【０１０４】
好ましくは、前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、同じサーブフレーム内で、前記第１のＴＴＩ長で送信されるチャネルの送信開始時刻が前記第２のＴＴＩ長で送信されるチャネルの送信開始時刻と同じである。
【０１０５】
または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはＵＣＩタイプ、及び前記第２のＴＴＩ長で送信されるチャネルのタイプ及び/またはＵＣＩタイプに従って、前記第１のＴＴＩ長で送信されるチャネルと前記第２のＴＴＩ長で送信されるチャネルそれぞれに送信電力を割り当てる。
【０１０６】
好ましくは、前記第１のモジュールは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【０１０７】
好ましくは、送信電力が下げられるべきチャネルについては、前記チャネル内のすべてのシンボルの送信電力が下げられる。
【０１０８】
図９に示す本発明に係る実施例による、たの電力の割り当てのための装置は、例えば、ＵＥであることができる。
【０１０９】
当該装置では、
プロセッサ６００は、メモリ６２０に記憶されたプログラムを読み出し、サーブフレーム内の第１のＴＴＩ長で送信されるアップリンクチャネルと第２のＴＴＩ長で送信されるアップリンクチャネルの送信電力の合計を決定し、
前記合計がＵＥに許容される最大送信電力を超える場合、所定の規則で電力を割り当て、前記合計がＵＥに許容される最大送信電力を超えないようにする。
【０１１０】
好ましくは、前記第１のＴＴＩ長は、前記第２のＴＴＩ長より大きい。
【０１１１】
好ましくは、前記第１のＴＴＩ長は１ｍｓであり、前記第２のＴＴＩ長は１ｍｓより小さい、または、前記第１のＴＴＩ長と前記第２のＴＴＩ長は１ｍｓより小さい。
【０１１２】
好ましくは、前記チャネルは、アップリンクチャネルである。
【０１１３】
好ましくは、前記第１のＴＴＩ長で送信されるチャネルは、アップリンク制御チャネルまたはアップリンク共有チャネルであり、前記第２のＴＴＩ長で送信されるチャネルは、アップリンク制御チャネルまたはアップリンク共有チャネルである。
【０１１４】
好ましくは、前記プロセッサ６００は、所定の規則で電力を割り当てる場合、前記第１のＴＴＩ長で送信されるチャネルに優先的に送信電力を割り当て、前記第２のＴＴＩ長で送信されるチャネルの送信電力を下げる。または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる。
【０１１５】
好ましくは、前記プロセッサ６００は、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２  デュアルコネクティビティ場合のＰＣＭ２電力制御方式を再利用する。
【０１１６】
好ましくは、前記プロセッサ６００は、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはＵＣＩタイプ、及び前記第２のＴＴＩ長で送信されるチャネルのタイプ及び/またはＵＣＩタイプに従って、前記第１のＴＴＩ長で送信されるチャネルと前記第２のＴＴＩ長で送信されるチャネルそれぞれに送信電力を割り当てる。
【０１１７】
好ましくは、前記プロセッサ６００は、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てる。
【０１１８】
好ましくは、送信電力が下げられるべきチャネルについては、前記チャネル内のすべてのシンボルの送信電力が下げられる。
【０１１９】
送受信機６１０は、プロセッサ６００の制御でデータを送受信する。
【０１２０】
ここで、図９のプロセッサ、メモリ、および送受信機は、バスを介して接続することができ、バスアーキテクチャは、表される１つまたは複数のプロセッサを含む様々な回路を特に互いにリンクするための任意の数の相互接続バスおよびブリッジを含むことができる。バスアーキテクチャはさらに、様々な他の回路、たとえば周辺機器、マノスタット、電力管理回路などを互いにリンクすることができ、それらはすべて周知である。当該技術分野では、その詳細な説明はこの文脈では省略する。送受信機６１０は、伝送媒体を介して他の様々なデバイスと通信するためのユニットである、いくつかの要素、たとえばいくつかの送信機および受信機とすることができる。異なるユーザ機器の場合、ユーザインターフェース６３０は、必要に応じて装置を内部および外部に接続することができるインターフェースでもあり得、接続された装置は、キーパッド、モニタ、スピーカ、マイクロフォン、およびジョイスティックなどであり、これらに限定されない。
【０１２１】
プロセッサ６００は、バスアーキテクチャを管理し、通常のプロセスを実行することを担当し、メモリ６２０は、動作を実行する際にプロセッサ６００によって使用されるデータを格納することができる。
【０１２２】
任意選択で、プロセッサ６００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）、または複合プログラマブルロジックデバイス（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１２３】
要約すると、本発明の実施形態では、短いＴＴＩおよび長いＴＴＩの同時送信の総電力が、ＵＥに許容される最大送信電力を超えないように、異なる電力割り当ての優先順位または原理が定義される。
【０１２４】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１２５】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び／またはブロック図における一つまたはいは複数のブロックに指定する機能を具現する。
【０１２６】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフロー及び／またはブロック図における一つまたは複数のブロックに指定する機能を具現する。
【０１２７】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を具現し、コンピュータまたは他のプログラム可能な設備において実行される指令によって、フロー図における一つまたは複数のフロー及び／またはブロック図における一つまたは複数のブロックに指定する機能を具現する。  
【０１２８】
上述した実施形態に記述された技術的な解決手段を改造し、またはその中の一部の技術要素を置換することもできる。そのような、改造と置換は本発明の各実施形態の技術の範囲から逸脱するとは見なされない。
【０１２９】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。  
【符号の説明】
【０１３０】
１１  第１のモジュール
１２  第２のモジュール
６００  プロセッサ
６１０  送受信機
６２０  メモリ
６３０  ユーザインタフェース
【図１】
2019530365.tif 000003
【図２】
2019530365.tif 000004
【図３】
2019530365.tif 000005
【図４】
2019530365.tif 000006
【図５】
2019530365.tif 000007
【図６】
2019530365.tif 000008
【図７】
2019530365.tif 000009
【図８】
2019530365.tif 000010
【図９】
2019530365.tif 000011
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
サーブフレーム内の第１のＴＴＩ長で送信されるチャネルと第２のＴＴＩ長で送信されるチャネルの送信電力の合計を決定するステップと、
前記合計がＵＥに許容される最大送信電力を超える場合、所定の規則で電力を割り当て、前記合計がＵＥに許容される最大送信電力を超えないようにするステップとを備えることを特徴とする電力の割り当てのための方法。
【請求項２】
前記第１のＴＴＩ長は、前記第２のＴＴＩ長より大きいことを特徴とする請求項１に記載の電力の割り当てのための方法。
【請求項３】
前記第１のＴＴＩ長は１ｍｓであり、前記第２のＴＴＩ長は１ｍｓより小さい、または、前記第１のＴＴＩ長と前記第２のＴＴＩ長は１ｍｓより小さいことを特徴とする請求項２に記載の電力の割り当てのための方法。
【請求項４】
前記所定の規則で電力を割り当てる場合、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てることを特徴とする請求項２に記載の電力の割り当てのための方法。
【請求項５】
前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２ デュアルコネクティビティ場合の電力制御モード（ＰＣＭ）２の電力制御方式を再利用することを特徴とする請求項４に記載の電力の割り当てのための方法。
【請求項６】
前記同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じである場合、または、前記第１のＴＴＩ長で送信されるチャネルの送信開始時刻と前記第２のＴＴＩ長で送信されるチャネルの送信開始時刻との差が所定の閾値を超えない場合、前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てることを特徴とする請求項４に記載の電力の割り当てのための方法。
【請求項７】
前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てることを特徴とする請求項６に記載の電力の割り当てのための方法。
【請求項８】
送信電力が下げられるべきチャネルについては、前記チャネル内のすべてのシンボルの送信電力が下げられることを特徴とする請求項４ないし請求項７のいずれか１項に記載の電力の割り当てのための方法。
【請求項９】
サーブフレーム内の第１のＴＴＩ長で送信されるチャネルと第２のＴＴＩ長で送信されるチャネルの送信電力の合計を決定するように構成される、第１のモジュールと、
前記第１のモジュールにより決定された合計がＵＥに許容される最大送信電力を超える場合、所定の規則で電力を割り当て、前記合計がＵＥに許容される最大送信電力を超えないようにする第２のモジュールとを備えることを特徴とする電力の割り当てのための装置。
【請求項１０】
前記第１のＴＴＩ長は、前記第２のＴＴＩ長より大きいことを特徴とする請求項９に記載の電力の割り当てのための装置。
【請求項１１】
前記第１のＴＴＩ長は１ｍｓであり、前記第２のＴＴＩ長は１ｍｓより小さい、または、前記第１のＴＴＩ長と前記第２のＴＴＩ長は１ｍｓより小さいことを特徴とする請求項１０に記載の電力の割り当てのための装置。
【請求項１２】
前記第１のモジュールは、
前記第１のＴＴＩ長で送信されるチャネルに優先的に送信電力を割り当て、前記第２のＴＴＩ長で送信されるチャネルの送信電力を下げ、
または、同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てることを特徴とする請求項１０に記載の電力の割り当てのための装置。
【請求項１３】
前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と異なるか、または、前記第１のＴＴＩ長で送信されるチャネルの送信開始時刻と前記第２のＴＴＩ長で送信されるチャネルの送信開始時刻との差が所定の閾値より大きい場合、送信開始時刻がより早いチャネルに優先的に送信電力を割り当て、送信開始時刻がより遅いチャネルの送信電力を下げ、または、ＬＴＥ Ｒｅｌ−１２ デュアルコネクティビティ場合の電力制御モード（ＰＣＭ）２の電力制御方式を再利用することを特徴とする請求項１２に記載の電力の割り当てのための装置。
【請求項１４】
前記第１のモジュール同じサーブフレーム内で前記第１のＴＴＩ長で送信されるチャネルの送信開始時刻と、前記第２のＴＴＩ長で送信されるチャネルの送信開始時刻とに従って、第１のＴＴＩ長で送信されるチャネルと第２のＴＴＩ長で送信されるチャネルそれぞれに送信電力を割り当てる場合、
同じサーブフレーム内で、前記第１のＴＴＩ長で送信されるチャネルの送信開始時刻が前記第２のＴＴＩ長で送信されるチャネルの送信開始時刻と同じであるか、または、前記第１のＴＴＩ長で送信されるチャネルの送信開始時刻と前記第２のＴＴＩ長で送信されるチャネルの送信開始時刻との差が所定の閾値を超えない場合、
前記第２のＴＴＩ長で送信されるチャネルに送信電力を優先的に割り当て、前記第１のＴＴＩ長で送信されるチャネルの送信電力を下げ、
または、ＬＴＥ Ｒｅｌ−１２ デュアルコネクティビティ場合のＰＣＭ１電力制御方式を再利用し、
または、ＴＴＩ長の優先順位と共に、ＬＴＥ Ｒｅｌ−１２デュアルコネクティビティ場合のＰＣＭ１電力制御方式に従って、電力を割り当て、
または、前記第１のＴＴＩ長で送信されるチャネルのタイプ及び/またはアップリンク制御情報（ＵＣＩ）タイプと、前記第２のＴＴＩ長で送信されるチャネルのタイプ及び/またはＵＣＩタイプとに従って、前記第１のＴＴＩ長で送信されるチャネルと前記第２のＴＴＩ長で送信されるチャネルそれぞれに送信電力を割り当てることを特徴とする請求項１２に記載の電力の割り当てのための装置。
【請求項１５】
前記第１のモジュールは、前記第１のＴＴＩ長で送信されるチャネルのタイプ及び/または当該チャネル上のＵＣＩタイプと、前記第２のＴＴＩ長で送信されるチャネルのタイプ及び/または当該チャネル上のＵＣＩタイプとに従って、前記第１のＴＴＩ長で送信されるチャネルと前記第２のＴＴＩ長で送信されるチャネルそれぞれに送信電力を割り当てる場合、
前記第１のＴＴＩ長で送信されるチャネルのタイプが前記第２のＴＴＩ長で送信されるチャネルのタイプと異なる場合、前記第２のＴＴＩ長で送信されるチャネルに送信電力を優先的に割り当て、前記第１のＴＴＩ長で送信されるチャネルの送信電力を下げ、または、アップリンク制御チャネルに送信電力を優先的に割り当て、アップリンク共有チャネルの送信電力を下げ、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプ異なる場合、搬送されるＵＣＩ優先順位に従って、前記第１のＴＴＩ長で送信されるチャネルと前記第２のＴＴＩ長で送信されるチャネルそれぞれに送信電力を割り当て、または、
前記第１のＴＴＩ長で送信されるチャネルのタイプが前記第２のＴＴＩ長で送信されるチャネルのタイプと異なり、かつ前記第１のＴＴＩ長で送信されるチャネルに搬送されるＵＣＩタイプが前記第２のＴＴＩ長で送信されるチャネルに搬送されるＵＣＩタイプと同じである場合、前記第１のＴＴＩ長で送信されるチャネルの送信電力と前記第２のＴＴＩ長で送信されるチャネルの送信電力を同様な倍率で下げ、または、
前記第１のＴＴＩ長で送信されるチャネルのタイプが前記第２のＴＴＩ長で送信されるチャネルのタイプと同じである場合、前記第１のＴＴＩ長で送信されるチャネルの送信電力と前記第２のＴＴＩ長で送信されるチャネルの送信電力を同様な倍率で下げ、または、前記第２のＴＴＩ長で送信されるチャネルに送信電力を優先的に割り当て、または、
前記第１のＴＴＩ長で送信されるチャネルのタイプが前記第２のＴＴＩ長で送信されるチャネルのタイプと同じであり、かつ前記第１のＴＴＩ長で送信されるチャネルに搬送されるＵＣＩタイプが前記第２のＴＴＩ長で送信されるチャネルに搬送されるＵＣＩタイプと異なる場合、搬送されるＵＣＩ優先順位に従って、前記第１のＴＴＩ長で送信されるチャネルと前記第２のＴＴＩ長で送信されるチャネルそれぞれに送信電力を割り当てることを特徴とする請求項１４に記載の電力の割り当てのための装置。
【請求項１６】
送信電力が下げられるべきチャネルについては、前記チャネル内のすべてのシンボルの送信電力が下げられることを特徴とする請求項１２ないし請求項１５のいずれか１項に記載の電力の割り当てのための装置。
【国際調査報告】
2019530365.tif 000012
2019530365.tif 000013
2019530365.tif 000014
2019530365.tif 000015
2019530365.tif 000016